(57)【要約】  衣類処理装置は、ケース、ドア及びスチームユニットを含む。前記衣類処理装置は、サイクルチャンバーに位置し、処理チャンバーの空気を循環及び調和するように構成されたヒートポンプユニットをさらに含む。前記衣類処理装置は、タンク設置空間に設置され、前記スチームユニットに連結され、前記スチームユニットに水を供給するように構成された給水タンクをさらに含む。前記衣類処理装置は、前記タンク設置空間に分離可能に設置され、処理チャンバー又はヒートポンプユニットの少なくとも一つに発生する凝縮水を蓄えるように構成されたドレンタンクをさらに含む。衣類処理装置は、給水水位センサーをさらに含む。前記衣類処理装置はドレン水位センサーをさらに含む。【選択図】  図１２
2018503427.tif 000002
【特許請求の範囲】
【請求項１】
衣類処理装置の制御方法であって、
前記衣類処理装置が、
衣類を収容するように構成された処理チャンバー、機械装置を収納するように構成されたサイクルチャンバー、及び分離可能なタンクを収納するように構成されたタンク設置空間に区画されたケースと、
前記サイクルチャンバーに配置され、前記処理チャンバーにスチームを供給するように構成されたスチームユニットと、
前記タンク設置空間に設置され、前記スチームユニットに連結され、前記スチームユニットに水を供給するように構成された給水タンクと、
前記給水タンクの水を前記スチームユニットに供給するように構成された給水ポンプと、
前記タンク設置空間に配置され、前記給水タンクに結合するように構成されたローワーラックと、
前記ローワーラックによって定義され、前記スチームユニットと連結されるように構成され、前記スチームユニットに水を供給するように構成され、前記給水タンクの分離によって排出した残水を蓄えるように構成された収容空間とを備えてなるものであり、
前記給水タンクの水位を感知する段階と、
前記給水タンクの水位を感知することによって、前記給水タンクの水位が第１特定水位以下であるか判断する段階と、
前記給水タンクの水位が前記第１特定水位以下と判断されることより、前記給水ポンプを作動させ、前記収容空間に蓄えられた残水を前記スチームユニットに移動させる段階とを含んでなる、衣類処理装置の制御方法。
【請求項２】
前記収容空間に蓄えられた残水を、前記給水ポンプを作動させることによって前記スチームユニットに移動させる前に、前記給水タンクの水位を感知した後、水補充アラームを出力する段階をさらに含んでなる、請求項１に記載の衣類処理装置の制御方法。
【請求項３】
前記収容空間に蓄えられた残水を、前記給水ポンプを作動させることによって前記スチームユニットに移動させた後、水補充アラームを出力する段階をさらに含んでなる、請求項１に記載の衣類処理装置の制御方法。
【請求項４】
前記収容空間に蓄えられた残水を、前記給水ポンプを作動させることによって前記スチームユニットに移動させる段階は、所定時間だけ前記給水ポンプを作動させることを含んでなる、請求項１に記載の衣類処理装置の制御方法。
【請求項５】
前記収容空間に蓄えられた残水を、前記給水ポンプを作動させることによって前記スチームユニットに移動させる段階は、前記給水タンクの水がすべて前記スチームユニットに移動したことを判断することと、
前記給水タンクの水がすべて前記スチームユニットに移動したことを判断することによって、前記給水ポンプの作動を停止させることとを含んでなる、請求項１に記載の衣類処理装置の制御方法。
【請求項６】
前記スチームユニット内の水位を感知する段階と、
前記スチームユニット内の前記水位を感知することによって、そして前記給水タンクの水位を感知する前に、前記スチームユニット内の水位が第２特定水位であるかを判断する段階とを含んでなる、請求項１に記載の衣類処理装置の制御方法。
【請求項７】
前記給水タンクの水位を感知する段階は、前記スチームユニット内の水位が前記第２特定水位以下と判断することによって前記給水タンクの水位を感知することを含んでなる、請求項６に記載の衣類処理装置の制御方法。
【請求項８】
前記収容空間は前記タンク設置空間に連結される、請求項１に記載の衣類処理装置の制御方法。
【請求項９】
前記ローワーラックは、前記タンク設置空間に突出し、前記給水タンクが取り付けられることによって該給水タンクを支持するように構成されたウォーターポケットをさらに含んでなり、前記ウォーターポケットの内側が前記収容空間をさらに定義する、請求項１に記載の衣類処理装置の制御方法。
【請求項１０】
前記ローワーラックは、前記ウォーターポケットから上側に突出したウォーターバリアをさらに含んでなり、
前記ウォーターバリアの内側は前記収容空間をさらに定義する、請求項９に記載の衣類処理装置の制御方法。
【請求項１１】
前記ローワーラックは、
凝縮水を蓄えるように構成されたドレンタンク及び前記給水タンクが取り付けられるように構成されたローワーベースと、
前記ローワーベースと連結され、タンクモジュールフレームに沿って、前記サイクルチャンバーをタンク設置空間と区画するローワーバックと、
前記給水タンクが取り付けられるように構成された前記第１設置部を、前記ドレンタンクが取り付けられるように構成された第２設置部と区画するローワー隔壁とを含んでなり、
前記第１設置部は前記収容空間をさらに定義する、請求項１に記載の衣類処理装置の制御方法。
【請求項１２】
衣類処理装置の制御方法であって、
前記衣類処理装置が、
内部に衣類が掛けられるように構成された処理チャンバー、内部に機械装置が設置されるように構成されたサイクルチャンバー、及び内部に分離可能なタンクが設置されるように構成されるタンク設置空間に区画されたケースと、
前記サイクルチャンバーに配置され、前記処理チャンバーにスチームを供給するように構成されたスチームユニットと、
前記タンク設置空間に設置され、前記スチームユニットに連結され、前記スチームユニットに水を供給するように構成された給水タンクと、
前記給水タンクの水を前記スチームユニットに供給するように構成された給水ポンプと、
前記タンク設置空間に配置され、前記給水タンクに分離可能に結合するように構成されたローワーラックと、
前記ローワーラックによって定義され、前記スチームユニットに連結されるように構成され、水を前記スチームユニットに供給するように構成され、前記給水タンクの分離によって排出した残水を蓄えるように構成された収容空間とを含んでなり、
前記スチームユニット内の水位を感知する段階と、
前記スチームユニット内の水位の感知に基づいて、前記スチームユニット内の水位が第１特定水位以下であるかを判断する段階と、
前記給水タンクの水位を感知する段階と、
前記給水タンク内の水位の感知に基づいて、前記給水タンク内の水位が第２特定水位であるかを判断する段階と、
前記給水タンク内の水位を第２特定水位以下と判断することによって、前記給水ポンプを作動させることによって、前記収容空間に蓄えられた残水をすべて前記スチームユニットに移動させ、前記給水タンクに蓄えられた水をすべて前記給水ユニットに移動させる段階とを含んでなる、衣類処理装置の制御方法。
【請求項１３】
衣類処理装置の制御方法であって、
衣類を収容するように構成された処理チャンバー、機械装置を収納するように構成されたサイクルチャンバー、及び分離可能なタンクを収納するように構成されたタンク設置空間に区画されたケースと、
前記サイクルチャンバーに配置され、前記処理チャンバーにスチームを供給するように構成されたスチームユニットと、
前記タンク設置空間に設置され、前記スチームユニットに連結され、前記スチームユニットに水を供給するように構成された給水タンクと、
前記給水タンクの水を前記スチームユニットに供給するように構成された給水ポンプと、
前記ケースに設置され、前記給水タンクに結合するように構成されたローワーラックと、
前記ローワーラックによって定義され、前記給水タンクに結合するように構成され、前記給水タンクの分離過程で排出した残水を蓄えるように構成された収容空間を定義し、前記収容空間及びスチームユニットに連結される流路を定義するウォーターポケットとを備えてなるものであり、
前記給水タンクの水位を感知する段階と、
前記給水タンク内の水位の感知に基づいて、前記給水タンク内の水位が第１特定水位以下であるかを判断する段階と、
前記給水タンク内の水位が第１特定水位以下と判断することによって、前記給水ポンプを作動させることによって、前記収容空間に蓄えられた残水を前記スチームユニットに移動させる段階とを含んでなる、衣類処理装置の制御方法。
【請求項１４】
前記ローワーラックは、
凝縮水を蓄えるように構成されたドレンタンク及び前記給水タンクが取り付けられるローワーベースと、
前記ローワーベースと連結され、タンクモジュールフレームに沿って、前記サイクルチャンバーをタンク設置空間と区画するローワーバックと、
前記給水タンクが取り付けられるように構成された前記第１設置部を、前記ドレンタンクが取り付けられるように構成された第２設置部と区画するローワー隔壁とを備えてなり、
前記第１設置部は前記収容空間をさらに定義する、請求項１３に記載の衣類処理装置の制御方法。
【請求項１５】
前記収容空間に蓄えられた残水を、前記給水ポンプを作動させることによって前記スチームユニットに移動させる前に、前記給水タンクの水位を感知した後、水補充アラームを出力する段階をさらに含んでなる、請求項１４に記載の衣類処理装置の制御方法。
【請求項１６】
前記収容空間に蓄えられた残水を、前記給水ポンプを作動させることによって前記スチームユニットに移動させた後、水補充アラームを出力する段階をさらに含んでなる、請求項１４に記載の衣類処理装置の制御方法。
【請求項１７】
前記収容空間に蓄えられた残水を、前記給水ポンプを作動させることによって前記スチームユニットに移動させる段階は、
前記給水タンクの水がすべて前記スチームユニットに移動したことを判断することと、
前記給水タンクの水がすべて前記スチームユニットに移動したことを判断することによって、前記給水ポンプの作動を停止させることとを含んでなる、請求項１４に記載の衣類処理装置の制御方法。
【請求項１８】
前記スチームユニット内の水位を感知する段階と、
前記スチームユニット内の前記水位を感知することによって、そして前記給水タンクの水位を感知する前に、前記スチームユニット内の水位が第２特定水位であるかを判断する段階とをさらに含んでなる、請求項１４に記載の衣類処理装置の制御方法。
【請求項１９】
前記給水タンクの水位を感知する段階は、前記スチームユニット内の水位が前記第２特定水位以下と判断することによって前記給水タンクの水位を感知することを含んでなる、請求項１８に記載の衣類処理装置の制御方法。
【請求項２０】
前記収容空間に蓄えられた残水を、前記給水ポンプを作動させることによって前記スチームユニットに移動させる段階は、所定時間だけ前記給水ポンプを作動させることを含んでなる、請求項１４に記載の衣類処理装置の制御方法。
【発明の詳細な説明】
【技術分野】
【０００１】
本発明（開示）は、衣類処理装置の制御方法に関する。
【背景技術】
【０００２】
衣類処理装置は、家庭内又はランドリーなどで衣類の洗濯、乾燥、シワの除去などのように、衣類を管理するための全ての装置を意味する。
【０００３】
例えば、衣類処理装置は、衣類の洗濯のための洗濯機、衣類の乾燥のための乾燥機、洗濯機能及び乾燥機能を兼ねる乾燥兼用洗濯機、衣類のリフレッシュのためのリフレッシャー（Ｒｅｆｒｅｓｈｅｒ）、衣類の不要なシワを除去するスチーマー（Ｓｔｅａｍｅｒ）などがある。
【０００４】
リフレッシャーは、衣類の状態を快適で新鮮にするための装置であって、衣類を乾燥させたり、衣類に香りを供給したり、衣類の静電気の発生を防止したり、衣類のシワを除去する等の機能を担う。
【０００５】
スチーマーは、一般に、衣類にスチームを供給して衣類のシワを除去する装置であって、一般のアイロンとは違い、衣類に熱を直接加えずに衣類のシワを除去する。
【発明の概要】
【発明が解決しようとする課題】
【０００６】
本出願に開示される内容の目的は、給水タンクから漏出された残水を除去できる衣類処理装置の制御方法を提供することにある。
【課題を解決するための手段】
【０００７】
本出願に説明される内容の革新的な一側面によれば、衣類処理装置の制御方法は、衣類を収容するように構成された処理チャンバー、機械装置を収納するように構成されたサイクルチャンバー、及び分離可能なタンクを収納するように構成されたタンク設置空間に区画されたケースと、前記サイクルチャンバーに配置され、前記処理チャンバーにスチームを供給するように構成されたスチームユニットと、前記タンク設置空間に設置され、前記スチームユニットに連結され、前記スチームユニットに水を供給するように構成された前記給水タンクと、前記給水タンクの水を前記スチームユニットに供給するように構成された給水ポンプと、前記タンク設置空間に配置され、前記給水タンクに結合するように構成されたローワーラックと、前記ローワーラックによって定義され、前記スチームユニットと連結されるように構成され、前記スチームユニットに水を供給するように構成され、前記給水タンクの分離によって排出した残水を蓄えるように構成された収容空間と、を含む（備えてなる）衣類処理装置の制御方法であって、前記給水タンクの水位を感知する段階と、前記給水タンクの水位を感知することによって、前記給水タンクの水位が第１特定水位以下であるか判断する段階と、前記給水タンクの水位が前記第１特定水位以下と判断されることによって、前記給水ポンプを作動させ、前記収容空間に蓄えられた残水を前記スチームユニットに移動させる段階と、を含む。
【０００８】
前記制御方法は次のような一つ以上の付加的特徴を有することができる。前記制御方法は、前記収容空間に蓄えられた残水を、前記給水ポンプを作動させることによって前記スチームユニットに移動させる前に前記給水タンクの水位を感知した後、水補充アラームを出力する段階を含むことができる。前記制御方法は、前記収容空間に蓄えられた残水を、前記給水ポンプを作動させることによって前記スチームユニットに移動させた後、水補充アラームを出力する段階を含む。前記収容空間に蓄えられた残水を、前記給水ポンプを作動させることによって前記スチームユニットに移動させる段階は、所定時間だけ前記給水ポンプを作動させることを含む。
【０００９】
前記収容空間に蓄えられた残水を、前記給水ポンプを作動させることによって前記スチームユニットに移動させる段階は、前記給水タンクの水がすべて前記スチームユニットに移動したことを判断することと、前記給水タンクの水がすべて前記スチームユニットに移動したことを判断することによって、前記給水ポンプの作動を停止させることとを含む。前記スチームユニット内の水位を感知する段階と、前記スチームユニット内の前記水位を感知することによって、そして前記給水タンクの水位を感知する前に、前記スチームユニット内の水位が第２特定水位であるかを判断する段階と、を含む。前記給水タンクの水位を感知する段階は、前記スチームユニット内の水位が前記第２特定水位以下と判断することによって前記給水タンクの水位を感知することを含む。前記収容空間は前記タンク設置空間に連結される。前記ローワーラックは、前記タンク設置空間に突出し、前記給水タンクが取り付けられることによって該給水タンクを支持するように構成されたウォーターポケットをさらに含み、前記ウォーターポケットの内側が前記収容空間をさらに定義する。
【００１０】
前記ローワーラックは、前記ウォーターポケットから上側に突出したウォーターバリアをさらに含み、前記ウォーターバリアの内側は、前記収容空間をさらに定義する。前記ローワーラックは、凝縮水を蓄えるように構成されたドレンタンク及び前記給水タンクを取り付けるように構成されたローワーベースと、前記ローワーベースと連結され、タンクモジュールフレームに沿って、前記サイクルチャンバーをタンク設置空間と区画するローワーバックと、前記給水タンクが取り付けられるように構成された前記第１設置部を、前記ドレンタンクが取り付けられるように構成された第２設置部と区画するローワー隔壁と、を含み、前記第１設置部は前記収容空間をさらに定義する。
【００１１】
本出願に説明される内容の革新的な他の側面によれば、衣類処理装置は、内部に衣類が掛けられるように構成された処理チャンバー、内部に機械装置が設置されるように構成されたサイクルチャンバー、及び内部に分離可能なタンクが設置されるように構成されるタンク設置空間に区画されたケースと、前記サイクルチャンバーに配置され、前記処理チャンバーにスチームを供給するように構成されたスチームユニットと、前記タンク設置空間に設置され、前記スチームユニットに連結され、前記スチームユニットに水を供給するように構成された給水タンクと、前記給水タンクの水を前記スチームユニットに供給するように構成された給水ポンプと、前記タンク設置空間に配置され、前記給水タンクに分離可能に結合するように構成されたローワーラックと、前記ローワーラックによって定義され、前記スチームユニットに連結されるように構成され、水を前記スチームユニットに供給するように構成され、前記給水タンクの分離によって排出した残水を蓄えるように構成された収容空間と、を含み、前記衣類処理装置の制御方法は、前記スチームユニット内の水位を感知する段階と、前記スチームユニット内の水位の感知に基づいて、前記スチームユニット内の水位が第１特定水位以下であるかを判断する段階と、前記給水タンクの水位を感知する段階と、前記給水タンク内の水位の感知に基づいて、前記給水タンク内の水位が第２特定水位であるかを判断する段階と、前記給水タンク内の水位を第２特定水位以下と判断することによって、前記給水ポンプを作動させることによって、前記収容空間に蓄えられた残水をすべて前記スチームユニットに移動させ、前記給水タンクに蓄えられた水をすべて前記給水ユニットに移動させる段階とを含む。
【００１２】
本出願に説明される内容の革新的な他の側面によれば、衣類処理装置は、衣類を収容するように構成された処理チャンバー、機械装置を収納するように構成されたサイクルチャンバー、及び分離可能なタンクを収納するように構成されたタンク設置空間に区画されたケースと、前記サイクルチャンバーに配置され、前記処理チャンバーにスチームを供給するように構成されたスチームユニットと、前記タンク設置空間に設置され、前記スチームユニットに連結され、前記スチームユニットに水を供給するように構成された給水タンクと、前記給水タンクの水を前記スチームユニットに供給するように構成された給水ポンプと、前記ケースに設置され、前記給水タンクに結合するように構成されたローワーラックと、前記ローワーラックによって定義され、前記給水タンクに結合するように構成され、前記給水タンクの分離過程で排出した残水を蓄えるように構成された収容空間を定義し、前記収容空間及びスチームユニットに連結される流路を定義するウォーターポケットと、を含み、前記衣類処理装置の制御方法は、前記給水タンクの水位を感知する段階と、前記給水タンク内の水位の感知に基づいて、前記給水タンク内の水位が第１特定水位以下であるかを判断する段階と、前記給水タンク内の水位が第１特定水位以下と判断することによって、前記給水ポンプを作動させることによって、前記収容空間に蓄えられた残水を前記スチームユニットに移動させる段階と、を含む。
【００１３】
前記制御方法は次のような一つ以上の付加的特徴を有することができる。前記ローワーラックは、凝縮水を蓄えるように構成されたドレンタンク及び前記給水タンクが取り付けられるローワーベースと、前記ローワーベースと連結され、タンクモジュールフレームに沿って、前記サイクルチャンバーをタンク設置空間と区画するローワーバックと、前記給水タンクが取り付けられるように構成された前記第１設置部を、前記ドレンタンクが取り付けられるように構成された第２設置部と区画するローワー隔壁と、を含み、前記第１設置部は前記収容空間をさらに定義する。
【００１４】
前記制御方法は、前記収容空間に蓄えられた残水を、前記給水ポンプを作動させることによって前記スチームユニットに移動させる前に前記給水タンクの水位を感知した後、水補充アラームを出力する段階をさらに含む。前記制御方法は、前記収容空間に蓄えられた残水を、前記給水ポンプを作動させることによって前記スチームユニットに移動させた後、水補充アラームを出力する段階をさらに含む。前記収容空間に蓄えられた残水を、前記給水ポンプを作動させることによって前記スチームユニットに移動させる段階は、前記給水タンクの水がすべて前記スチームユニットに移動したことを判断すること、前記給水タンクの水がすべて前記スチームユニットに移動したことを判断することに基づいて、前記給水ポンプの作動を停止させることを含む。
【００１５】
前記制御方法は、前記スチームユニット内の水位を感知する段階と、前記スチームユニット内の前記水位を感知することによって、そして前記給水タンクの水位を感知する前に、前記スチームユニット内の水位が第２特定水位であるかを判断する段階とをさらに含む。前記給水タンクの水位を感知する段階は、前記スチームユニット内の水位が前記第２特定水位以下と判断することによって前記給水タンクの水位を感知することを含む。前記収容空間に蓄えられた残水を、前記給水ポンプを作動させることによって前記スチームユニットに移動させる段階は、所定時間だけ前記給水ポンプを作動させることを含む。
【発明の効果】
【００１６】
前記衣類処理装置の制御方法は次のような効果がある。
【００１７】
第一に、給水タンクの分離過程で排出されて収容空間に蓄えられた残水をスチームユニットに移動させるため、給水タンクを取り付ける時に、収容空間から残水があふれることを防止するという長所がある。
【００１８】
第二に、給水タンクの低水位が判断されると、収容空間に蓄えられた残水及び給水タンクに残っている水を全てスチームユニットに移動させるため、収容空間の残水を確実に除去できるという長所がある。
【００１９】
第三に、給水タンクの低水位が判断されると、収容空間に蓄えられた残水及び給水タンクに残っている水を全てスチームユニットに移動させるため、ユーザが給水タンクの水を補充する場合に、蓄えられた水の量を最大化できるという長所がある。
【００２０】
第四に、収容空間の残水を除去する時、使用可能な水をスチームユニットの内部に最大限に蓄えるため、水補充の回数を低減できるという長所がある。
【００２１】
第五に、ローワー隔壁が給水タンク及びドレンタンクの設置空間を区画するため、残水排出を最小化できるという長所がある。
【図面の簡単な説明】
【００２２】
【図１】衣類処理装置の一例を示す斜視図である。
【図２】サイクルアセンブリの一例を示す分解斜視図である。
【図３】サイクルアセンブリの一例を示す斜視図である。
【図４】給水タンクの一例を示す分解斜視図である。
【図５】給水タンクの一例を示す部分分解斜視図である。
【図６】チェックアセンブリの一例を示す断面斜視図である。
【図７】給水タンクの一例を示す側断面図である。
【図８】ドレンタンクの一例を示す斜視図である。
【図９】ドレンタンクの一例を示す部分分解斜視図である。
【図１０】ドレンタンクの一例を示す側断面図である。
【図１１】ローワーラックの一例を示す斜視図である。
【図１２】ローワーラックの一例を示す斜視図である。
【図１３】衣類処理装置の制御方法の一例を示すブロック図である。
【図１４】衣類処理装置の制御方法の一例を示すフローチャートである。
【図１５】衣類処理装置の制御方法の一例を示すフローチャートである。
【発明を実施するための形態】
【００２３】
図１は、衣類処理装置の一例を説明する。図２及び図３は、サイクルアセンブリの一例を説明する。図４、図５及び図７は、給水タンクの一例を説明する。図６は、チェックアセンブリの一例を説明する。図８、図９及び図１０は、ドレンタンクの一例を説明する。
【００２４】
いくつかの実施例において、衣類処理装置は、ケース１０と、前記ケース１０の前面を開閉するドア２０を含む。
【００２５】
前記ケース１０の内部は分離板１１によって上下に区画される。前記分離板１１の上側に衣類の掛けられる処理チャンバー１２が形成される。前記分離板１１の下側に機械装置が設置されるサイクルチャンバー１４が形成される。
【００２６】
前記処理チャンバー１２には衣類が掛けられ、スチーム又は空気の循環などによって衣類のシワを除去したり匂いを取る。
【００２７】
前記サイクルチャンバー１４には、前記処理チャンバー１２内の空気を循環させる送風ユニット３０と、前記処理チャンバー１２にスチームを提供するスチームユニット４０と、前記処理チャンバー１２の空気を調和、例えば、冷却、加熱、又は除湿するヒートポンプユニット５０と、前記各ユニット３０，４０，５０を制御する制御ユニット６０が設置される。
【００２８】
前記送風ユニット３０、スチームユニット４０、ヒートポンプユニット５０、制御ユニット６０などのように、衣類処理装置の各行程を駆動させるための機械装置の組立体をいくつかの実施例ではサイクルアセンブリと定義する。
前記送風ユニット３０は、送風ファン３２とインレットダクト３４を含む。
【００２９】
前記インレットダクト３４は、前記送風ファン３２の吸入側に設置され、前記処理チャンバー１２内の空気を前記送風ファン３２に案内する。
【００３０】
前記送風ファン３２は、ファンの回転によって空気を流動させ、前記処理チャンバー１２から空気を吸入した後、前記ヒートポンプユニット５０に吐き出す。
【００３１】
前記スチームユニット４０は、印加された電源によって発熱し、後述する給水タンク８０から水が供給され、水を蒸気に変換させる。生成されたスチームは処理チャンバー１２に吐き出される。
【００３２】
いくつかの実施例では、前記ヒートポンプユニット５０を通じて前記処理チャンバー１２に流動するように流路が構成される。
【００３３】
前記ヒートポンプユニット５０は、圧縮機、凝縮機、蒸発器、膨脹バルブを含む冷凍サイクルで構成される。前記ヒートポンプユニット５０は、作動モードによって前記処理チャンバー１２の内部に冷却した空気又は加熱した空気を吐き出すことができる。
【００３４】
いくつかの実施例では、前記ヒートポンプユニット５０は、前記送風ユニット３０から供給された空気から水分を取ることができる。
【００３５】
前記サイクルチャンバー１４の前方には、水の蓄えられるタンクモジュール７０が設置される。前記タンクモジュール７０は、前記スチームユニット４０に水を供給する給水タンク８０と、前記処理チャンバー１２で生成された凝縮水を集めて蓄えるドレンタンク９０を含む。
給水タンク８０の水は給水ポンプ４５を通じてスチームユニット４０に流動する。
【００３６】
処理チャンバー１２で生成された凝縮水は自重によって処理チャンバーの下側に流動した後、ドレンポンプ４６を通じてドレンタンク９０に流動する。前記ヒートポンプユニット５０で生成された凝縮水も前記ドレンポンプ４６を通じてドレンタンク９０に流動する。
前記給水ポンプ４５又はドレンポンプ４６は、制御ユニット６０によって制御される。
【００３７】
いくつかの実施例では、前記インレットダクト３４の前方側にタンクモジュールフレーム７１が設置される。
【００３８】
前記タンクモジュールフレーム７１及びドア２０との間にはタンク設置空間７３が形成される。前記タンクモジュールフレーム７１は前記分離板１１と結合して前記サイクルチャンバー１４を外部から分離させる。
【００３９】
前記タンク設置空間７３の前方側には給水タンク８０又はドレンタンク９０の少なくともいずれか一つと相互干渉するタンク支持バー７５が設置される。
【００４０】
前記タンク支持バー７５は、前記給水タンク８０又はドレンタンク９０がタンク設置空間７３で不意に分離されることを防止する。前記タンク支持バー７５は、前記給水タンク８０及びドレンタンク９０の前方を支持する。
【００４１】
これによって、ドア２０の開閉時に前記給水タンク８０及びドレンタンク９０がタンク設置空間７３から離脱することを抑制する。
【００４２】
いくつかの実施例において前記給水タンク８０の下端は前記タンク支持バー７５の上端に置かれる。前記ドレンタンク９０の下端は前記タンク支持バー７５の上端に置かれる。
【００４３】
給水タンク８０又はドレンタンク９０の少なくともいずれか一つには前記タンク支持バー７５と相互干渉するタンク支持端７９が形成される。
前記タンク支持端７９は凹入して形成される。
【００４４】
前記タンク支持端７９によって前記タンク支持バー７５及び給水タンク８０の前面は連続した面を形成することができる。前記タンク支持端７９によって前記タンク支持バー７５及びドレンタンク９０の前面は連続した面を形成することができる。
【００４５】
前記給水タンク８０及びドレンタンク９０はタンク設置空間７３に配置され、左右に並列配置される。前記給水タンク８０及びドレンタンク９０はドア２０の開放時にユーザに露出される。
【００４６】
前記給水タンク８０及びドレンタンク９０をユーザが引き出すことができる。
前記給水タンク８０及びドレンタンク９０はタンクモジュールフレーム７１から分離可能である。前記給水タンク８０及びドレンタンク９０はタンク設置空間７３で脱着可能である。
【００４７】
前記給水タンク８０は前記スチームユニット４０に連結されて水を供給し、前記ドレンタンク９０は前記処理チャンバー１２に連結され、前記処理チャンバー１２又はヒートポンプユニット５０から流入した水が蓄えられる。
【００４８】
前記給水タンク８０は前面が開口して形成されたタンクボディー８２と、前記タンクボディー８２の前面に結合されるタンクカバー８４と、前記タンクカバー８４に結合される装飾カバー ８６と、前記タンクボディー８２に取り付けられ、スチームユニット４０に連結された流路を開閉する給水チェックバルブ１１０と、前記タンクボディー８２に蓄えられた水の水位を感知する給水水位センサー１００を含む。
【００４９】
前記タンクボディー８２は前面が開口して形成され、内側に前記給水水位センサー１００が配置される。
前記タンクボディー８２は背面側の上端がラウンド形状になっている。
前記タンクボディー８２は脱着の際に分離板１１との干渉を最小化させる。
【００５０】
前記ラウンド形状によってユーザは、下側に配置された給水タンク８０を引き出し及び引き込みすることができる。
【００５１】
いくつかの実施例において、前記給水水位センサー１００は、前記タンクボディー８２の内部に設置され、水位によって上下方向に移動するフロータ１０２と、前記タンクボディー８２に設置され、前記フロータ１０２が内部に配置されるフロータケース１０５と、前記タンクモジュールフレーム７１に設置され、前記フロータ１０２を感知するセンサー１０４を含む。
【００５２】
前記フロータ１０２にはマグネチックが配置され、前記センサー１０４は前記マグネチックの磁気力を感知する。
【００５３】
前記センサー１０４は、タンクモジュールフレーム７１の前面又は後面に設置することができる。
前記センサー１０４は、タンクモジュールフレーム７１を貫通して設置することができる。
【００５４】
これによって、前記センサー１０４はサイクルチャンバー１４、タンク設置空間７３又はタンクモジュールフレーム７１のいずれか一つに位置し得る。
【００５５】
前記給水タンク８０に設置されたフロータ１０２は、センサー１０４と同一線上に位置し、水位が低くなる時、前記センサー１０４より低い位置に移動する。これによって、前記センサー１０４が前記フロータ１０２を感知できなかった時、制御ユニット６０は水不足信号を出力する。前記水不足信号が出力されても進行行程内ではスチームを十分に供給することができる。
【００５６】
前記制御ユニット６０は前記センサー１０４を用いてフロータ１０２を常にセンシングしているため、給水タンク８０の装着されたか否かを判断することができる。
【００５７】
例えば、ユーザが給水タンク８０を装着していないか、又は水が不足している場合、制御ユニット６０は水不足信号を出力する。
【００５８】
これによって、前記水不足信号が出力された状態でユーザが衣類処理装置を作動させると、前記制御ユニット６０は作動を進行せず、水不足信号を出力して、ユーザに給水タンク８０を確認させる。
【００５９】
前記タンクボディー８２の内側面には、前記フロータ１０２が設置されるフロータ設置部８３が形成され、前記フロータケース１０５は前記フロータ設置部８３に設置される。前記フロータ１０２は浮力によって前記フロータケース１０５に沿って上下方向に移動することができる。
【００６０】
いくつかの実施例では、スチームを１行程供給できる最小限の水位に前記フロータ１０２が設置される。前記センサー１０４がフロータ１０２を感知して水不足に関する信号を制御ユニット６０に伝達しても、スチームを少なくとも１行程供給することができる。
【００６１】
すなわち、スチームの供給過程で水不足信号を感知しても行程を終了するまで十分のスチームを供給することができる。
【００６２】
そして、前記フロータ１０２が内蔵されたフロータケース１０５は、前記タンクカバー８４及びタンクボディー８２のＤＳＩ（Ｄｉｅ  Ｓｌｉｄｅ  Ｉｎｊｅｃｔｉｏｎ）工程時にインサートして製作される。
【００６３】
前記ダイスライドインジェクション（Ｄｉｅ  Ｓｌｉｄｅ  Ｉｎｊｅｃｔｉｏｎ；ＤＳＩ）は中空成形や薄板製品を成形するためのものである。このＤＳＩ工程を用いた製品製作は、射出成形後に接着や組立のような後工程が不要であり、中空成形やガス成形に比べて壁の厚さを調節しやすく、表面形状や寸法正確度に卓越しており、二重射出や中空成形に代えてＤＳＩを行うことができるという利点がある。
【００６４】
ここで、前記タンクボディー８２及びタンクカバー８４はＤＳＩ工法で製作され、製作過程で内部に前記フロータケース１０５がインサート射出される。前記タンクボディー８２及びタンクカバー８４の境界は製作時に結合して一体化する。
【００６５】
前記タンクカバー８４には水の高さを確認できるようにウィンドウ８５が配置され、ユーザが手を入れて握ることができるように凹んで形成された取っ手部８７が設けられる。
【００６６】
前記取っ手部８７はタンクカバー８４の前面から後方側に凹んで形成される。
【００６７】
前記タンクカバー８４の内側面にはセンサー固定部８８が形成される。前記センサー固定部８８は前記タンクカバー８４の内側面から突出する。前記センサー固定部８８はタンクカバー８４及びタンクボディー８２の結合時にフロータケース１０５に密着される。
【００６８】
前記センサー固定部８８が前記フロータケース１０５に密着されるため、フロータケース１０５はフロータ設置部８３からの離脱が防止される。
【００６９】
前記センサー固定部８８は、タンクカバー８４と一体に製作することができる。
【００７０】
前記装飾カバー ８６は前記タンクカバー８４の前面をカバーする形状に形成され、前記タンクカバー８４と対応する形状に形成される。
【００７１】
前記タンクボディー８２の上側にはウォーターホール８１が形成され、前記ウォーターホール８１を開閉するウォーターホールカバー８９が配置される。
【００７２】
前記ウォーターホールカバー８９は、弾性を有する柔軟な材質で形成され、一端が前記タンクボディー８２に固定され、他端はユーザの操作力によって曲がりながら前記ウォーターホール８１を開閉することができる。
【００７３】
前記給水チェックバルブ１１０は、前記タンクボディー８２の下側に形成されたチェックバルブホール１１１と、前記チェックバルブホール１１１に結合されて前記タンクボディー８２内部の水を断続するチェックアセンブリ１１２を含む。
【００７４】
前記チェックアセンブリ１１２は前記チェックバルブホール１１１と結合し、内部に水が流動するようにチェック流路１１４が形成されたチェックハウジング１１３と、前記チェックハウジング１１３に配置されて前記チェック流路１１４を開閉するバルブ１１５と、前記バルブ１１５とタンクボディー８２との間に配置され、前記バルブ１１５に弾性力を提供するチェック弾性部材１１６を含む。
【００７５】
前記バルブ１１５は小径側が下側に突出しており、前記タンクモジュールフレーム７１に置かれる時に押し付けられて上側に移動することができる。この時、前記バルブ１１５の移動によって前記チェック流路１１４が開放される。前記給水タンク８０がタンクモジュールフレーム７１から分離されると、前記チェック弾性部材１１６の弾性力によって前記チェック流路１１４が閉鎖される。
【００７６】
前記ドレンタンク９０は前記給水タンク８０と機能的に同一である。前記ドレンタンク９０は前記給水タンク８０の横に並んで配置される。
【００７７】
前記ドレンタンク９０は、給水タンク８０とは違い、ドレンチェックバルブ１２０が下側ではなく背面側に設置される。
【００７８】
給水タンク８０はウォーターホール８１を通って水が供給され、給水チェックバルブ１１０を通して水を排出させる。ドレンタンク９０はドレンチェックバルブ１２０を通って凝縮水が供給され、ウォーターホール８１を通して凝縮水を排出させることができる。
【００７９】
すなわち、ドレンタンク９０のドレンチェックバルブ１２０は、凝縮水が排出されるための流路ではなく凝縮水が供給されるための流路上に配置することができる。
【００８０】
いくつかの実施例において、前記ウォーターホール８１を通って凝縮水がドレンタンク９０の内部に落下する構造に製作してもよい。また、ドレンチェックバルブ１２０を通って凝縮水が自動で排出されるように製作してもよい。
【００８１】
前記処理チャンバー１２で生成された凝縮水及び前記ヒートポンプユニット５０で生成された凝縮水は前記ドレンタンク９０に蓄えられる。
【００８２】
前記ドレンタンク９０の内部にはフロータケース１０５が設置されるフロータ設置部９３が形成される。
【００８３】
前記フロータ設置部９３は１行程で発生する凝縮水を蓄えても水があふれない高さに位置することが好ましい。
【００８４】
すなわち、前記１行程で発生する凝縮水がすべて前記ドレンタンク９０に蓄えられてもあふれない位置に前記フロータ設置部９３が位置する。
【００８５】
これによって、作動中にドレンタンク９０のドレン水位センサー１０１で信号を感知しても、さらに蓄えられる凝縮水によってドレンタンク９０の水があふれない。
【００８６】
ドレンタンク９０のドレン水位センサー１０１は給水タンク８０の給水水位センサー１００より高く位置する。
【００８７】
ドレンタンク９０のドレン水位センサー１０１は、給水タンク８０の給水水位センサー１００と同じ構成を有する。ただし、作動方式は給水タンク８０と異なる。
【００８８】
例えば、ドレンタンク９０のセンサー１０４はフロート１０２を感知していないが、凝縮水の水位が上昇すると、浮力によって上昇したフロート１０２を感知する。
【００８９】
ドレンタンク９０の前記センサー１０４がフロート１０２を感知すると、制御ユニット６０が水排出信号を出力する。前記水排出信号が出力されても、進行される行程内では凝縮水のあふれが発生しない。
【００９０】
一方、前記タンク設置空間７３の下側には、給水タンク８０及びドレンタンク９０が取り付けられるローワーラック１３０が配置される。前記ローワーラック１３０は前記タンクモジュールフレーム７１と共にタンク設置空間７３を形成する。
【００９１】
前記ローワーラック１３０は前記キャビネット１０の下部を形成する部品である。前記ローワーラック１３０は前記タンクモジュールフレーム７１と組み立てられて前記給水タンク８０及びドレンタンク９０を支持する。
【００９２】
図１１及び図１２は、ローワーラックの一例を説明する。図１３は、衣類処理装置の一例を説明する。
【００９３】
前記ローワーラック１３０は前記キャビネット１０を構成する部品である。
【００９４】
いくつかの実施例では、前記ローワーラック１３０に前記給水タンク８０及びスチームユニット４０を連結させる流路が形成される。いくつかの実施例では、前記タンクモジュールフレーム７１に前記ドレンタンク９０及びヒートポンプユニット５０を連結させる流路が形成される。
【００９５】
前記ローワーラック１３０は、給水タンク８０及びドレンタンク９０が取り付けられるローワーベース１３２と、前記ローワーベース１３２と連結され、前記タンクモジュールフレーム７１と組み立てられるローワーバック１３４とを含む。
【００９６】
いくつかの実施例では、前記ローワーベース１３２を左右に区画させるローワー隔壁１３６がさらに配置される。前記ローワー隔壁１３６によって区画された一側を第１設置部１３１と定義し、他側を第２設置部１３３と定義する。
【００９７】
いくつかの実施例では、第１設置部１３１に給水タンク８０が取り付けられ、第２設置部１３３にドレンタンク９０が取り付けられる。いくつかの実施例において前記ローワー隔壁１３６が設置されなくても構わない。
【００９８】
前記ローワーバック１３４はタンクモジュールフレーム７１と連続した面を形成する。
【００９９】
前記ローワーバック１３４はタンクモジュールフレーム７１と共にサイクルチャンバー１４及びタンク設置空間７３を分離させる。
【０１００】
前記ローワーバック１３４はローワー隔壁１３６と直交する。
【０１０１】
前記ローワー隔壁１３６は、給水タンク８０及びドレンタンク９０の設置空間を区画し、給水タンク８０又はドレンタンク９０の脱着時に他のタンクとの干渉を防止する。
【０１０２】
後述するが、前記給水タンク８０が揺れたり持ち上がったりする場合、給水チェックバルブ１１０から少量の水が収容空間１４１に流出されることがある。このような過程が反復されると、収容空間１４１の容積を超える水が流出されてウォーターポケット１４０外にあふれ出ることがある。前記ローワー隔壁１３６は、隣接したタンクとの干渉を防止する機能を有する。
【０１０３】
いくつかの実施例では、前記第１設置部１３１にウォーターポケット１４０が配置される。
【０１０４】
前記給水タンク８０は前記ウォーターポケット１４０に結合される。
【０１０５】
前記給水タンク８０の給水チェックバルブ１１０は、前記ウォーターポケット１４０に挿入される。
【０１０６】
前記ウォーターポケット１４０に前記給水チェックバルブ１１０が結合される時、前記給水タンク８０及びスチームユニット４０を連結させる流路を形成する。
【０１０７】
前記ウォーターポケット１４０は前記給水チェックバルブ１１０から流出された水を一定量蓄える。
【０１０８】
前記ウォーターポケット１４０は前記ローワーベース１３２から上側に突出して形成されたポケットハウジング１４２と、前記ポケットハウジング１４２に形成され、前記スチームユニット４０と連通するように流路が形成されたウォーターホール１４５と、前記ポケットハウジング１４２に形成され、内側に収容空間１４１を形成させるウォーターバリア１４６を含む。
【０１０９】
前記ポケットハウジング１４２は内側に前記ウォーターホール１４５が形成される。前記ポケットハウジング１４２は前記給水タンク８０の給水チェックバルブ１１０と結合され、前記給水タンク８０を支持する。
【０１１０】
いくつかの実施例において前記ウォーターバリア１４６は、前記ポケットハウジング１４２から上側に突出して形成される。いくつかの実施例において前記ポケットハウジング１４２が凹んで前記収容空間１４１を形成してもよい。
【０１１１】
前記収容空間１４１には少量の水が蓄えられ得る。前記収容空間１４１の内側に前記ウォーターホール１４５が配置される。前記収容空間１４１に蓄えられた水は、前記ウォーターホール１４５からスチームユニット４０に流動し得る。
【０１１２】
前記収容空間１４１はタンク設置空間７３に向かって開放して形成される。
前記ウォーターバリア１４６に給水タンク８０が取り付けられて支持され得る。
前記ウォーターポケット１４０に給水タンク８０が取り付けられると、給水チェックバルブ１１０が開放された状態を維持する。
【０１１３】
このため、前記給水タンク８０を前記ローワーラック１３０から分離する時、前記給水チェックバルブ１１０から少量の水が漏出されることがある。前記漏出された水は前記収容空間１４１に蓄えられる。すなわち、前記給水タンク８０が分離される時、給水チェックバルブ１１０が閉じる過程で漏出された少量の水が収容空間１４１に蓄えられることがある。
【０１１４】
前記給水タンク８０を反復して脱着すると、漏出された水が集まってウォーターポケット１４０外にあふれ出ることがある。
【０１１５】
いくつかの実施例では、前記収容空間１４１に蓄えられた水をスチームユニット４０に移動させる制御方法が具現される。これによって、反復的な給水タンク８０の脱着過程で前記収容空間１４１の水があふれることを防止することができる。
前記収容空間１４１に蓄えられた水を残水と定義する。
【０１１６】
図１４は、衣類処理装置の制御方法の一例を示す。
いくつかの実施例において、衣類処理装置の制御方法は、スチームユニット４０内の水位を感知する段階（Ｓ１０）と、前記スチームユニット４０内に蓄えられた水位が低水位かを判断する段階（Ｓ２０）と、前記スチームユニット４０内の水位が低水位である場合（Ｓ３５）、給水タンク８０の水位を感知する段階（Ｓ３０）と、前記給水タンク８０の水位が低水位である場合、水補充エラーを発生させる段階（Ｓ４０）と、前記Ｓ４０段階後に前記給水タンク８０の水をスチームユニット４０に流動させる給水ポンプ４５を作動させて、前記収容空間１４１に蓄えられた水を除去する段階（Ｓ５０）と、前記給水ポンプ４５の作動後に所定時間を経過させる段階（Ｓ６０）と、前記所定時間の経過後に、前記給水ポンプ４５を停止させる段階（Ｓ７０）とを含む。
【０１１７】
前記低水位は基準値以下を意味する。
【０１１８】
いくつかの実施例において、前記給水タンク８０の低水位とは、センサー１０４でフロータ１０２を感知できない状態を意味する。
【０１１９】
前記制御方法は、給水タンク８０の脱着過程で前記収容空間１４１に蓄えられた水が収容空間１４１外にあふれることを防止するためのものである。
【０１２０】
給水タンク８０に蓄えられた水が不足しているいくつかの実施例において、ユーザは給水タンク８０をローワーラック１３０から分離した後、水を補充する。そして、ユーザは水を満たした給水タンク８０を再びローワーラック１３０に結合させる。
【０１２１】
この時、前記収容空間１４１に残水が蓄えられていると、前記給水タンク８０の結合過程で前記収容空間１４１外に水があふれる。
【０１２２】
いくつかの実施例において、前記制御方法は、前記給水タンク８０が結合される前に、前記収容空間１４１に蓄えられた水をスチームユニット４０に移動させて、収容空間１４１に蓄えられた残水のあふれを防止する。
【０１２３】
前記Ｓ１０段階乃至Ｓ４０段階は、給水タンク８０の水補充時間であることをユーザに知らせるための段階である。
【０１２４】
前記Ｓ１０及びＳ２０段階は、前記スチームユニット４０の内部に蓄えられた水の水位を感知し、前記スチームユニット４０に蓄えられた水が低水位である場合、Ｓ３０段階で給水タンク８０に蓄えられた水の水位を感知する。
【０１２５】
前記Ｓ３０段階で感知された給水タンク８０の水位も低水位である場合、水補充アラームを発生させてユーザに水補充時間であることを認知させる。
【０１２６】
前記水補充アラームは、衣類処理装置のディスプレイ又はスピーカーなどによって行うことができる。
【０１２７】
そして、前記Ｓ３５段階で低水位と判断されると、前記制御ユニット６０は、給水ポンプ４５を作動させて、前記給水タンク８０から前記スチームユニット４０側に水を流動させる。
【０１２８】
いくつかの実施例において前記制御ユニット６０は、前記給水ポンプ４５を作動させて、前記給水タンク８０に蓄えられた水を全てスチームユニット８０に移動させる。前記給水タンク８０の水を全てスチームユニット８０に移動させると、前記収容空間１４１の残水を確実に除去できる。
【０１２９】
前記給水ポンプ４５の作動によって前記収容空間１４１に蓄えられた残水は、前記スチームユニット４０側に移動して蓄えられる。
【０１３０】
前記収容空間１４１に残水が除去されると、ユーザが水補充のために前記給水タンク８０をローワーラック１３０から分離して水を補充する過程で少量の水が漏出されても、前記残水が収容空間１４１外にあふれることを防止することができる。
【０１３１】
前記給水ポンプ４５が作動した後、いくつかの実施例ではＳ６０段階で１０秒間給水ポンプ４５の作動を維持し、前記Ｓ７０段階で給水ポンプ４５の作動を停止させる。
【０１３２】
前記の時間、例えば、１０秒は、前記給水タンク８０に蓄えられた水をすべてスチームユニット４０に移動させるためにかかり得る時間であり、給水タンク８０の大きさによって様々に設定され得る。
【０１３３】
上述したように、前記給水タンク８０に蓄えられた水をすべて除去するいくつかの実施例において、ユーザが給水タンク８０に水を補充する時、より多量の水を蓄えることができる。
【０１３４】
言い換えると、残水除去過程で収容空間１４１及び給水タンク８０の水をすべて除去した後、ユーザが給水タンク８０の水を補充すると、衣類処理装置内に蓄えられた水の量を最大化することができる。これによって、ユーザが給水タンク８０に水を補充する頻度を減少させることができる。
【０１３５】
前記Ｓ５０乃至Ｓ７０段階を残水除去段階（Ｓ８０）と定義する。
【０１３６】
いくつかの実施例において、前記給水ポンプ４５を短時間作動させて、前記収容空間１４１に蓄えられた残水のみを除去することもできる。
【０１３７】
また、いくつかの実施例において、前記給水タンク８０の低水位を感知した場合、水補充アラームを行わない状態で前記Ｓ５０乃至Ｓ７０段階を行って収容空間１４１の残水を除去することができる。
【０１３８】
図１５は、衣類処理装置の制御方法の一例を示す。
いくつかの実施例において、スチームユニット４０の低水位確認を省略し、給水タンク８０の低水位が確認されると、直ちに残水除去のために給水モーター４５を作動させる。
【０１３９】
スチームユニット４０に水が必要な場合に限って給水モーター４５を作動させればいいので、スチームユニット４０の内部には低水位に耐え得る分の空間が確保されている。
【０１４０】
これによって、いくつかの実施例では、給水タンク８０の低水位が確認されると、給水モーター４５を作動させて収容空間１４１の残水をスチームユニット４０の内部に流動させる。
【０１４１】
ここで、前記給水モーター４５を所定時間十分に作動させて、前記給水タンク８０に残っている水をすべてスチームユニット４０に流動させることもできる。
【０１４２】
また、前記給水ポンプ４５は、水補充エラーに対するアラームが行われた後に動作してもよく、水補充エラーに対するアラームにかかわらずに動作してもよい。
【０１４３】
例えば、いくつかの実施例において、給水タンク８０の低水位が確認されると、残水又は給水タンク８０に残っている水をすべてスチームユニット８０に移動させ、その後、水補充エラーに対するアラームを実施することもできる。
【０１４４】
このような制御過程を行うと、給水タンク８０の水をスチームユニット４０に移す過程でユーザが給水タンク８０を分離する状況を予防することができる。
【図１】
2018503427.tif 000003
【図２】
2018503427.tif 000004
【図３】
2018503427.tif 000005
【図４】
2018503427.tif 000006
【図５】
2018503427.tif 000007
【図６】
2018503427.tif 000008
【図７】
2018503427.tif 000009
【図８】
2018503427.tif 000010
【図９】
2018503427.tif 000011
【図１０】
2018503427.tif 000012
【図１１】
2018503427.tif 000013
【図１２】
2018503427.tif 000014
【図１３】
2018503427.tif 000015
【図１４】
2018503427.tif 000016
【図１５】
2018503427.tif 000017
【国際調査報告】
2018503427.tif 000018
2018503427.tif 000019